【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ユーザ機器によるワイヤレス通信のための方法であって、
サブフレームにおける拡張された物理ダウンリンク制御チャネル、ＥＰＤＣＣＨの少なくとも１つの復号候補を決定することと、
前記少なくとも１つのＥＰＤＣＣＨ復号候補に対応するリソースが、前記サブフレームにおける１次同期信号、ＰＳＳ、２次同期信号、ＳＳＳ、または物理ブロードキャストチャネル、ＰＢＣＨのうちの少なくとも１つを送信するために使用されるリソースと衝突する可能性があるかどうかを決定することと、
リソース衝突の可能性の前記決定に基づいて前記少なくとも１つのＥＰＤＣＣＨ復号候補を処理することと、
を備える方法。
【請求項２】
ＥＰＤＣＣＨリソースの構成を受信することと、
前記受信された構成に基づいて前記少なくとも１つのＥＰＤＣＣＨ復号候補を決定することと、
をさらに備える、請求項１に記載の方法。
【請求項３】
前記受信された構成に基づいて、前記少なくとも１つのＥＰＤＣＣＨ復号候補に対応する前記リソースを決定すること
をさらに備える、請求項２に記載の方法。
【請求項４】
前記リソース衝突の可能性の前記決定に少なくとも部分的に基づいて、前記少なくとも１つのＥＰＤＣＣＨ復号候補の有効性を決定することをさらに備える、請求項１に記載の方法。
【請求項５】
前記少なくとも１つのＥＰＤＣＣＨ復号候補の前記有効性を決定することは、
前記少なくとも１つのＥＰＣＤＤＨ復号候補に対応する前記リソースが、前記ＰＳＳ、ＳＳＳまたはＰＢＣＨのうちの少なくとも１つによって使用される前記リソースと衝突する可能性がない場合に、前記少なくとも１つのＥＰＤＣＣＨ復号候補を、有効な候補と宣言すること
を備える、請求項４に記載の方法。
【請求項６】
前記少なくとも１つのＥＰＤＣＣＨ復号候補を処理することは、
前記少なくとも１つのＥＰＤＣＣＨ復号候補が有効であると決定された場合に、前記少なくとも１つのＥＰＤＣＣＨ復号候補を監視し復号すること
を備える、請求項５に記載の方法。
【請求項７】
前記少なくとも１つのＥＰＤＣＣＨ復号候補は、復調基準信号、ＤＭＲＳに基づいており、前記少なくとも１つのＥＰＤＣＣＨ復号候補に対応する前記リソースは、前記ＤＭＲＳによって使用されるリソースを備える、請求項１に記載の方法。
【請求項８】
２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、請求項７に記載の方法。
【請求項９】
前記ＤＭＲＳは、前記ＰＳＳまたはＳＳＳのうちの少なくとも１つによって占められていないシンボルにのみ位置づけられる、請求項７に記載の方法。
【請求項１０】
前記ＤＭＲＳは少なくとも、レガシータイプのＰＳＳまたはＳＳＳのうちの少なくとも１つによって当初占められていた１つのシンボルに位置づけられる、請求項７に記載の方法。
【請求項１１】
第１のキャリアで送信をスケジュールしている前記少なくとも１つのＥＰＤＣＣＨ復号候補は、前記第１のキャリアとは異なる第２のキャリアで送信される、請求項１に記載の方法。
【請求項１２】
ワイヤレス通信のための装置であって、
サブフレームにおける拡張された物理ダウンリンク制御チャネル、ＥＰＤＣＣＨの少なくとも１つの復号候補を決定するための手段と、
前記少なくとも１つのＥＰＤＣＣＨ復号候補に対応するリソースが、前記サブフレームにおける１次同期信号、ＰＳＳ、２次同期信号、ＳＳＳまたは物理ブロードキャストチャネル、ＰＢＣＨのうちの少なくとも１つを送信するために使用されるリソースと衝突する可能性があるかどうかを決定するための手段と、
リソース衝突の可能性の前記決定に基づいて前記少なくとも１つのＥＰＤＣＣＨ復号候補を処理するための手段と、
を備える装置。
【請求項１３】
基地局、ＢＳによるワイヤレス通信のための方法であって、
サブフレームにおける拡張された物理ダウンリンク制御チャネル、ＥＰＤＣＣＨを送信する場合の復号候補のセットの各々に関する衝突可能性状態を決定することと、
前記決定に基づいて前記セットから少なくとも１つのＥＰＤＣＣＨ復号候補を選択することと、
前記選択されたＥＰＤＣＣＨ復号候補でＥＰＤＣＣＨを送信することと
を備える方法。
【請求項１４】
ワイヤレス通信のための装置であって、
サブフレームにおける拡張された物理ダウンリンク制御チャネル、ＥＰＤＣＣＨを送信する場合の復号候補のセットの各々に関する衝突可能性状態を決定するための手段と、
前記決定に基づいて前記セットから少なくとも１つのＥＰＤＣＣＨ復号候補を選択するための手段と、
前記選択されたＥＰＤＣＣＨ復号候補でＥＰＤＣＣＨを送信するための手段と
を備える装置。
【請求項１５】
ワイヤレス通信のためのコンピュータプログラム製品であって、
請求項１乃至１１および／または１３の任意の１つにしたがってコンピュータに方法を実行させるためのコードを備えるコンピュータ可読媒体を備えるコンピュータプログラム製品。
【手続補正２】
【補正対象書類名】明細書
【補正対象項目名】００８６
【補正方法】変更
【補正の内容】
【００８６】
[0093]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］  ユーザ機器によるワイヤレス通信のための方法であって、
サブフレームにおける拡張された物理ダウンリンク制御チャネル（ＥＰＤＣＣＨ）の少なくとも１つの復号候補を決定することと、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、
リソース衝突の可能性の前記決定に基づいて前記少なくとも１つのＥＰＤＣＣＨ復号候補を処理することと、
を備える方法。
［Ｃ２］  ＥＰＤＣＣＨリソースの構成を受信することと、
前記受信された構成に基づいて前記少なくとも１つのＥＰＤＣＣＨ復号候補を決定することと、
をさらに備える、Ｃ１に記載の方法。
［Ｃ３］  前記受信された構成に基づいて、前記少なくとも１つのＥＰＤＣＣＨ復号候補に対応する前記リソースを決定すること
をさらに備える、Ｃ２に記載の方法。
［Ｃ４］  前記リソース衝突の可能性の前記決定に少なくとも部分的に基づいて、前記少なくとも１つのＥＰＤＣＣＨ復号候補の有効性を決定することをさらに備える、Ｃ１に記載の方法。
［Ｃ５］  前記少なくとも１つのＥＰＤＣＣＨ復号候補の前記有効性を決定することは、
前記少なくとも１つのＥＰＣＤＤＨ復号候補に対応する前記リソースが、前記ＰＳＳ、ＳＳＳまたはＰＢＣＨのうちの少なくとも１つによって使用される前記リソースと衝突する可能性がない場合に、前記少なくとも１つのＥＰＤＣＣＨ復号候補を、有効な候補と宣言すること
を備える、Ｃ４に記載の方法。
［Ｃ６］  前記少なくとも１つのＥＰＤＣＣＨ復号候補を処理することは、
前記少なくとも１つのＥＰＤＣＣＨ復号候補が有効であると決定された場合に、前記少なくとも１つのＥＰＤＣＣＨ復号候補を監視し復号すること
を備える、Ｃ５に記載の方法。
［Ｃ７］  前記少なくとも１つのＥＰＤＣＣＨ復号候補の前記有効性を決定することは、
前記少なくとも１つのＥＰＤＣＣＨ復号候補に対応する前記リソースが、前記ＰＳＳ、ＳＳＳまたはＰＢＣＨのうちの少なくとも１つによって使用される前記リソースと衝突する可能性がある場合に、前記少なくとも１つのＥＰＤＣＣＨ復号候補を、無効な候補と宣言すること
を備える、Ｃ４に記載の方法。
［Ｃ８］  前記少なくとも１つのＥＰＤＣＣＨ復号候補を処理することは、
前記少なくとも１つのＥＰＤＣＣＨ復号候補が無効であると決定された場合に、前記少なくとも１つのＥＰＤＣＣＨ復号候補を監視することを省くこと
を備える、Ｃ７に記載の方法。
［Ｃ９］  前記少なくとも１つのＥＰＤＣＣＨ復号候補に対応する前記リソースが、前記ＰＳＳ、ＳＳＳまたはＰＢＣＨのうちの少なくとも１つを送信するために使用されるリソースと衝突する可能性があり得るかどうかを決定することは、
前記少なくとも１つのＥＰＤＣＣＨ復号候補に対応する前記リソースと前記ＰＳＳ、ＳＳＳまたはＰＢＣＨのうちの少なくとも１つを送信するために使用される前記リソースとの比較に基づいて、前記少なくとも１つのＥＰＤＣＣＨ復号候補および前記ＰＳＳ、ＳＳＳまたはＰＢＣＨのうちの少なくとも１つが同じリソースを使用するかどうかを決定すること
を備える、Ｃ１に記載の方法。
［Ｃ１０］  前記少なくとも１つのＥＰＤＣＣＨ復号候補に対応する前記リソースが、前記ＰＳＳ、ＳＳＳまたはＰＢＣＨのうちの少なくとも１つを送信するために使用されるリソースと衝突する可能性があり得るかどうかを決定することは、
ＥＰＤＣＣＨリソースに関連する物理リソースブロック（ＰＲＢ）ペアのセットと前記ＰＳＳ、ＳＳＳまたはＰＢＣＨのうちの少なくとも１つを送信するために使用されるＰＲＢペアのセットとの比較に基づいて、前記少なくとも１つのＥＰＤＣＣＨ復号候補および前記ＰＳＳ、ＳＳＳまたはＰＢＣＨのうちの少なくとも１つが同じＰＲＢペアを使用するかどうかを決定すること
を備える、Ｃ１に記載の方法。
［Ｃ１１］  少なくとも１つのＥＰＤＣＣＨ復号候補に対応する前記リソースは、
前記ＰＳＳ、ＳＳＳまたはＰＢＣＨのうちの少なくとも１つに割り当てられた少なくとも１つの物理リソースブロック（ＰＲＢ）ペアにおけるリソースが、ＥＰＤＣＣＨ送信のために割り当てられないように、および
前記ＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、
前記ＰＳＳ、ＳＳＳまたはＰＢＣＨのうちの少なくとも１つの送信に使用されるＰＲＢペアのセットのうちの少なくとも１つのＰＲＢペアを含む、Ｃ１に記載の方法。
［Ｃ１２］  前記少なくとも１つのＥＰＤＣＣＨ復号候補は、復調基準信号（ＤＭＲＳ）に基づいており、前記少なくとも１つのＥＰＤＣＣＨ復号候補に対応する前記リソースは、前記ＤＭＲＳによって使用されるリソースを備える、Ｃ１に記載の方法。
［Ｃ１３］  ２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、Ｃ１２に記載の方法。
［Ｃ１４］  前記ＤＭＲＳは、前記ＰＳＳまたはＳＳＳのうちの少なくとも１つによって占められていないシンボルにのみ位置づけられる、Ｃ１２に記載の方法。
［Ｃ１５］  前記ＤＭＲＳは少なくとも、レガシータイプのＰＳＳまたはＳＳＳのうちの少なくとも１つによって当初占められていた１つのシンボルに位置づけられる、Ｃ１２に記載の方法。
［Ｃ１６］  第１のキャリアで送信をスケジュールしている前記少なくとも１つのＥＰＤＣＣＨ復号候補は、前記第１のキャリアとは異なる第２のキャリアで送信される、Ｃ１に記載の方法。
［Ｃ１７］  前記少なくとも１つのＥＰＤＣＣＨ復号候補に対応する前記リソースは、少なくとも１つの物理リソースブロックペアを含む、Ｃ１に記載の方法。
［Ｃ１８］  前記ＰＳＳ、ＳＳＳまたはＰＢＣＨのうちの少なくとも１つを送信するために使用される前記リソースは、少なくとも１つの物理リソースブロックペアを含む、Ｃ１に記載の方法。
［Ｃ１９］  ワイヤレス通信のための装置であって、
サブフレームにおける拡張された物理ダウンリンク制御チャネル（ＥＰＤＣＣＨ）の少なくとも１つの復号候補を決定するための手段と、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定するための手段と、
リソース衝突の可能性の前記決定に基づいて前記少なくとも１つのＥＰＤＣＣＨ復号候補を処理するための手段と、
を備える装置。
［Ｃ２０］  前記リソース衝突の可能性の前記決定に少なくとも部分的に基づいて、前記少なくとも１つのＥＰＤＣＣＨ復号候補の有効性を決定するための手段
をさらに備える、Ｃ１９に記載の装置。
［Ｃ２１］  前記少なくとも１つのＥＰＤＣＣＨ復号候補の前記有効性を決定するための前記手段は、
前記少なくとも１つのＥＰＣＤＤＨ復号候補に対応する前記リソースが、前記ＰＳＳ、ＳＳＳまたはＰＢＣＨのうちの少なくとも１つによって使用される前記リソースと衝突する可能性がない場合に、前記少なくとも１つのＥＰＤＣＣＨ復号候補を有効な候補と宣言する
ように構成される、Ｃ２０に記載の装置。
［Ｃ２２］  前記少なくとも１つのＥＰＤＣＣＨ復号候補を処理するための前記手段は、
前記少なくとも１つのＥＰＤＣＣＨ復号候補が有効であると決定された場合に、前記少なくとも１つのＥＰＤＣＣＨ復号候補を監視し復号する
ように構成される、Ｃ２１に記載の装置。
［Ｃ２３］  前記少なくとも１つのＥＰＤＣＣＨ復号候補の前記有効性を決定するための前記手段は、
前記少なくとも１つのＥＰＤＣＣＨ復号候補に対応する前記リソースが、前記ＰＳＳ、ＳＳＳまたはＰＢＣＨのうちの少なくとも１つによって使用される前記リソースと衝突する可能性がある場合に、前記少なくとも１つのＥＰＤＣＣＨ復号候補を無効な候補と宣言する
ように構成される、Ｃ２０に記載の装置。
［Ｃ２４］  前記少なくとも１つのＥＰＤＣＣＨ復号候補を処理するための前記手段は、
前記少なくとも１つのＥＰＤＣＣＨ復号候補が無効であると決定された場合に、前記少なくとも１つのＥＰＤＣＣＨ復号候補を監視することを省く
ように構成される、Ｃ２３に記載の装置。
［Ｃ２５］  前記少なくとも１つのＥＰＤＣＣＨ復号候補は、復調基準信号（ＤＭＲＳ）に基づいており、前記少なくとも１つのＥＰＤＣＣＨ復号候補に対応する前記リソースは、前記ＤＭＲＳによって使用されるリソースを備える、Ｃ１９に記載の装置。
［Ｃ２６］  ２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、Ｃ２５に記載の装置。
［Ｃ２７］  前記ＤＭＲＳは、前記ＰＳＳまたはＳＳＳのうちの少なくとも１つによって占められていないシンボルにのみ位置づけられる、Ｃ２５に記載の装置。
［Ｃ２８］  前記ＤＭＲＳは少なくとも、レガシータイプのＰＳＳまたはＳＳＳのうちの少なくとも１つによって当初占められていた１つのシンボルに位置づけられる、Ｃ２５に記載の装置。
［Ｃ２９］  第１のキャリアで送信をスケジュールしている前記少なくとも１つのＥＰＤＣＣＨ復号候補は、前記第１のキャリアとは異なる第２のキャリアで送信される、Ｃ１９に記載の装置。
［Ｃ３０］  ワイヤレス通信のための装置であって、
サブフレームにおける拡張された物理ダウンリンク制御チャネル（ＥＰＤＣＣＨ）の少なくとも１つの復号候補を決定することと、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、
リソース衝突の可能性の前記決定に基づいて前記少なくとも１つのＥＰＤＣＣＨ復号候補を処理することと、
を行うように構成された少なくとも１つのプロセッサと、
前記少なくとも１つのプロセッサに結合されたメモリと
を備える装置。
［Ｃ３１］  ワイヤレス通信のためのコンピュータプログラム製品であって、
サブフレームにおける拡張された物理ダウンリンク制御チャネル（ＥＰＤＣＣＨ）の少なくとも１つの復号候補を決定することと、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、
リソース衝突の可能性の前記決定に基づいて前記少なくとも１つのＥＰＤＣＣＨ復号候補を処理することと、
を行うためのコードを備えるコンピュータ可読媒体を備えるコンピュータプログラム製品。
［Ｃ３２］  基地局（ＢＳ）によるワイヤレス通信のための方法であって、
サブフレームにおける拡張された物理ダウンリンク制御チャネル（ＥＰＤＣＣＨ）を送信する場合の復号候補のセットの各々に関する衝突可能性状態を決定することと、
前記決定に基づいて前記セットから少なくとも１つのＥＰＤＣＣＨ復号候補を選択することと、
前記選択されたＥＰＤＣＣＨ復号候補でＥＰＤＣＣＨを送信することと
を備える方法。
［Ｃ３３］  前記選択することは、前記候補に対応するリソースが、前記サブフレームにおけるＰＳＳ、ＳＳＳまたはＰＢＣＨのうちの少なくとも１つを送信するために使用されるリソースと衝突しない場合に、前記少なくとも１つのＥＰＤＣＣＨ復号候補を選択することを備える、Ｃ３２に記載の方法。
［Ｃ３４］  前記決定することは、
前記ＥＰＤＣＣＨ復号候補に対応する前記リソースと前記ＰＳＳ、ＳＳＳまたはＰＢＣＨのうちの少なくとも１つを送信するために使用される前記リソースとの比較に基づいて、前記少なくとも１つのＥＰＤＣＣＨ復号候補および前記ＰＳＳ、ＳＳＳまたはＰＢＣＨのうちの少なくとも１つが同じリソースを使用するかどうかを決定すること
を備える、Ｃ３３に記載の方法。
［Ｃ３５］  前記決定することは、
ＥＰＤＣＣＨリソースに関連する物理リソースブロック（ＰＲＢ）ペアのセットと前記ＰＳＳ、ＳＳＳまたはＰＢＣＨのうちの少なくとも１つを送信するために使用されるＰＲＢペアのセットとの比較に基づいて、前記少なくとも１つのＥＰＤＣＣＨ復号候補および前記ＰＳＳ、ＳＳＳまたはＰＢＣＨのうちの少なくとも１つが同じＰＲＢペアを使用するかどうかを決定すること
を備える、Ｃ３３に記載の方法。
［Ｃ３６］  前記少なくとも１つのＥＰＤＣＣＨ復号候補に対応する前記リソースは、
前記ＰＳＳ、ＳＳＳまたはＰＢＣＨのうちの少なくとも１つに割り当てられた少なくとも１つの物理リソースブロック（ＰＲＢ）ペアにおけるリソースが、ＥＰＤＣＣＨ送信のために割り当てられないように、および、
前記ＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、
前記ＰＳＳ、ＳＳＳまたはＰＢＣＨのうちの少なくとも１つの送信に使用されるＰＲＢペアのセットのうちの少なくとも１つのＰＲＢペアを含む、Ｃ３３に記載の方法。
［Ｃ３７］  前記少なくとも１つのＥＰＤＣＣＨ復号候補は、復調基準信号（ＤＭＲＳ）に基づいており、前記少なくとも１つのＥＰＤＣＣＨ復号候補に対応するリソースは、前記ＤＭＲＳによって使用されるリソースを備える、Ｃ３２に記載の方法。
［Ｃ３８］  ２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、Ｃ３７に記載の方法。
［Ｃ３９］  前記ＤＭＲＳは、前記ＰＳＳまたはＳＳＳのうちの少なくとも１つによって占められていないシンボルにのみ位置づけられる、Ｃ３７に記載の方法。
［Ｃ４０］  前記ＤＭＲＳは少なくとも、レガシータイプのＰＳＳまたはＳＳＳのうちの少なくとも１つによって当初占められていた１つのシンボルに位置づけられる、Ｃ３７に記載の方法。
［Ｃ４１］  各ＥＰＤＣＣＨ復号候補に対応するリソースは、少なくとも１つの物理リソースブロックペアを含む、Ｃ３２に記載の方法。
［Ｃ４２］  前記ＰＳＳ、ＳＳＳまたはＰＢＣＨのうちの少なくとも１つを送信するために使用されるリソースは、少なくとも１つの物理リソースブロックペアを含む、Ｃ３２に記載の方法。
［Ｃ４３］  ワイヤレス通信のための装置であって、
サブフレームにおける拡張された物理ダウンリンク制御チャネル（ＥＰＤＣＣＨ）を送信する場合の復号候補のセットの各々に関する衝突可能性状態を決定するための手段と、
前記決定に基づいて前記セットから少なくとも１つのＥＰＤＣＣＨ復号候補を選択するための手段と、
前記選択されたＥＰＤＣＣＨ復号候補でＥＰＤＣＣＨを送信するための手段と
を備える装置。
［Ｃ４４］  選択するための前記手段は、前記候補に対応するリソースが、前記サブフレームにおけるＰＳＳ、ＳＳＳまたはＰＢＣＨのうちの少なくとも１つを送信するために使用されるリソースと衝突しない場合に、前記少なくとも１つのＥＰＤＣＣＨ復号候補を選択するように構成される、Ｃ４３に記載の装置。
［Ｃ４５］  決定するための前記手段は、
前記ＥＰＤＣＣＨ復号候補に対応する前記リソースと前記ＰＳＳ、ＳＳＳまたはＰＢＣＨのうちの少なくとも１つを送信するために使用される前記リソースとの比較に基づいて、前記少なくとも１つのＥＰＤＣＣＨ復号候補および前記ＰＳＳ、ＳＳＳまたはＰＢＣＨのうちの少なくとも１つが同じリソースを使用するかどうかを決定する
ように構成される、Ｃ４４に記載の装置。
［Ｃ４６］  決定するための前記手段は、
ＥＰＤＣＣＨリソースに関連する物理リソースブロック（ＰＲＢ）ペアのセットと前記ＰＳＳ、ＳＳＳまたはＰＢＣＨのうちの少なくとも１つを送信するために使用されるＰＲＢペアのセットとの比較に基づいて、前記少なくとも１つのＥＰＤＣＣＨ復号候補および前記ＰＳＳ、ＳＳＳまたはＰＢＣＨのうちの少なくとも１つが同じＰＲＢペアを使用するかどうかを決定する
ように構成される、Ｃ４４に記載の装置。
［Ｃ４７］  前記少なくとも１つのＥＰＤＣＣＨ復号候補に対応する前記リソースは、
前記ＰＳＳ、ＳＳＳまたはＰＢＣＨのうちの少なくとも１つに割り当てられた少なくとも１つの物理リソースブロック（ＰＲＢ）ペアにおけるリソースが、ＥＰＤＣＣＨ送信のために割り当てられないように、および、
前記ＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、
前記ＰＳＳ、ＳＳＳまたはＰＢＣＨのうちの少なくとも１つの送信に使用されるＰＲＢペアのセットのうちの少なくとも１つのＰＲＢペアを含む、Ｃ４４に記載の装置。
［Ｃ４８］  前記少なくとも１つのＥＰＤＣＣＨ復号候補は、復調基準信号（ＤＭＲＳ）に基づいており、前記少なくとも１つのＥＰＤＣＣＨ復号候補に対応するリソースは、前記ＤＭＲＳによって使用されるリソースを備える、Ｃ４３に記載の装置。
［Ｃ４９］  ２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、Ｃ４８に記載の装置。
［Ｃ５０］  前記ＤＭＲＳは、前記ＰＳＳまたはＳＳＳのうちの少なくとも１つによって占められていないシンボルにのみ位置づけられる、Ｃ４８に記載の装置。
［Ｃ５１］  前記ＤＭＲＳは少なくとも、レガシータイプのＰＳＳまたはＳＳＳのうちの少なくとも１つによって当初占められていた１つのシンボルに位置づけられる、Ｃ４８に記載の装置。
［Ｃ５２］  ワイヤレス通信のための装置であって、
サブフレームにおける拡張された物理ダウンリンク制御チャネル（ＥＰＤＣＣＨ）を送信する場合の復号候補のセットの各々に関する衝突可能性状態を決定することと、
前記決定に基づいて前記セットから少なくとも１つのＥＰＤＣＣＨ復号候補を選択することと、
前記選択されたＥＰＤＣＣＨ復号候補でＥＰＤＣＣＨを送信することと、
を行うように構成された少なくとも１つのプロセッサと、
前記少なくとも１つのプロセッサに結合されたメモリと
を備える装置。
［Ｃ５３］  ワイヤレス通信のためのコンピュータプログラム製品であって、
サブフレームにおける拡張された物理ダウンリンク制御チャネル（ＥＰＤＣＣＨ）を送信する場合の復号候補のセットの各々に関する衝突可能性状態を決定することと、
前記決定に基づいて前記セットから少なくとも１つのＥＰＤＣＣＨ復号候補を選択することと、
前記選択されたＥＰＤＣＣＨ復号候補でＥＰＤＣＣＨを送信することと、
を行うためのコードを備えるコンピュータ可読媒体を備えるコンピュータプログラム製品。